(57)【要約】【課題】  収容部の開口部側を大きく拡開して使用時に収容物を収容し易いとともに、開口部を容易に再封することができ、しかも、製造も容易な内封用シート付容器を提供する。【解決手段】  収容部１８と、連通部２２と、開口形成部２０とが設けられるとともに排出部２６が設けられ、開口形成部２０を破断することにより形成される開口部２１の容器壁１２ａ（１２ｂ）と連通部２２の容器壁１２ａ（１２ｂ）とが近接可能であるとともに、開口部２１の容器壁１２ａ（１２ｂ）全幅を離間させることにより連通部２２の容器壁１２ａ（１２ｂ）が拡開可能な容器であって、連通部２２の容器壁１２ａ（１２ｂ）のそれぞれに、互いに対向して収容部１８側に延びる内封用シート２８ａ（２８ｂ）が接合され、内封用シート２８ａ（２８ｂ）が接合位置３０より収容部１８側に連通部２２の全幅において互いに離間可能な状態で密接する密接部３２を有し、内封用シート２８ａ（２８ｂ）の密接部３２を再度密接させることにより再封可能である。【選択図】  図１
2005029270.tif 000002
【特許請求の範囲】
【請求項１】
容器壁の周囲が密封されて形成された内部に、収容部と、前記容器壁を破断することにより開口部が形成される開口形成部と、前記収容部と前記開口形成部とを連通する連通部とを備え、前記開口部の対向する容器壁と前記連通部の対向する容器壁とが近接可能であるとともに、前記開口部の対向する容器壁を離間させることにより前記連通部の対向する容器壁が離間可能な容器であって、
前記連通部の対向する容器壁のそれぞれに、互いに対向して前記収容部側に延びる内封用シートの上部が接合され、
前記対向する内封用シートは、前記接合位置より前記収容部側に少なくとも一部が前記連通部の略全幅において互いに離間可能な状態で密接する密接部を有し、
前記密接部は、前記開口部の対向する容器壁を離間させることにより離間可能であって、かつ、離間後は前記連通部の対向する容器壁を外側から厚さ方向に押圧することで再密接可能であることを特徴とする内封用シート付容器。
【請求項２】
前記収容部の前記開口形成部とは反対位置に排出部を有することを特徴とする請求項１に記載の内封用シート付容器。
【請求項３】
前記収容部より上部の前記開口形成部より側縁側に懸垂部を有することを特徴とする請求項２に記載の内封用シート付容器。
【請求項４】
前記懸垂部と前記排出部とが対角位置に設けられ、懸垂された状態で前記排出部が前記収容部最下端に配置されることを特徴とする請求項３に記載の内封用シート付容器。
【請求項５】
前記開口部の幅が、前記連通部の少なくとも前記開口部側の端部と略同一幅を有することを特徴とする請求項１乃至４の何れか１つに記載の内封用シート付容器。
【請求項６】
前記開口部の幅が、前記連通部の少なくとも前記開口部側の端部の幅よりも広いことを特徴とする請求項１乃至４の何れか１つに記載の内封用シート付容器。
【請求項７】
前記対向する内封用シートの密接部が、粘着性を有することを特徴とする請求項１乃至６の何れか１つに記載の内封用シート付容器。
【請求項８】
前記対向する内封用シートが、熱可塑性樹脂と粘着性を付与する樹脂の混合物よりなることを特徴とする請求項７に記載の内封用シート付容器。
【請求項９】
前記熱可塑性樹脂及び前記粘着性を付与する樹脂の融点が、少なくとも１００℃以上であることを特徴とする請求項８に記載の内封用シート付容器。
【請求項１０】
前記熱可塑性樹脂がポリプロピレンであり、前記粘着性を付与する樹脂がポリプロピレンのステレオブロック共重合体を含むことを特徴とする請求項８に記載の内封用シート付容器。
【請求項１１】
前記対向する内封用シートは、前記容器壁側に非粘着層を有することを特徴とする請求項７乃至１０の何れか１つに記載の内封用シート付容器。
【請求項１２】
前記非粘着層が熱可塑性樹脂からなり、その融点が少なくとも１００℃以上であることを特徴とする請求項１１に記載の内封用シート付容器。
【請求項１３】
前記対向する内封用シートの両側縁部が、それぞれ前記連通部の対向する容器壁の両側縁部に接合されていることを特徴とする請求項１乃至１２の何れか１つに記載の内封用シート付容器。
【請求項１４】
前記対向する内封用シートの前記収容部側の端部は、容易に離間可能に少なくとも一部が溶着されていることを特徴とする請求項１乃至１３の何れか１つに記載の内封用シート付容器。
【請求項１５】
前記連通部の容器壁に、前記内封用シートの位置を示す可視的な表示部が設けられていることを特徴とする請求項１乃至１４の何れか１つに記載の内封用シート付容器。
【請求項１６】
前記内封用シートに位置を示す可視的な表示部が設けられ、前記表示部が前記容器壁を透過して外部から視認可能に構成されていることを特徴とする請求項１乃至１４の何れか１つに記載の内封用シート付容器。
【請求項１７】
前記対向する内封用シートを前記連通部及び／または前記収容部の対向する容器壁両外側から挟んで圧接する挟圧部材を備えたことを特徴とする請求項１乃至１６の何れか１つに記載の内封用シート付容器。
【請求項１８】
前記連通部及び／または前記収容部の容器壁が折り曲げ可能に構成されていることを特徴とする請求項１乃至１７の何れか１つに記載の内封用シート付容器。
【請求項１９】
前記内封用シートより前記収容部側の対向する容器壁に容易に折り曲げ可能な部位を設けたことを特徴とする請求項１８に記載の内封用シート付容器。
【請求項２０】
前記容器壁の一部に前記折り曲げ状態を維持する係止部を設けたことを特徴とする請求項１８または１９に記載の内封用シート付容器。
【請求項２１】
前記収容部には予め第１の収容物が収容されており、使用時に前記開口形成部の容器壁を破断することにより前記開口部を形成し、この開口部から前記収容部に第２の収容物が収容されることを特徴とする請求項１乃至２０の何れか１つに記載の内封用シート付容器。
【請求項２２】
前記第１の収容物が濃縮物であって、前記第２の収容物が前記濃縮物を希釈する希釈液であることを特徴とする請求項２１に記載の内封用シート付容器。
【請求項２３】
前記濃縮物が、経腸栄養剤又は濃厚流動食であることを特徴とする請求項２２に記載の内封用シート付容器。
【請求項２４】
前記懸垂部により懸垂された状態で、前記第１の収容物の頂面が前記内封用シートの前記収容部側端部より低い位置に配置されることを特徴とする請求項２１乃至２３の何れか１つに記載の内封用シート付容器。
【請求項２５】
前記収容部に予め収容物が収容された請求項１乃至２４の何れか１つに記載の内封用シート付容器の製造方法であって、
前記収容部を形成する容器壁の一部にこの容器壁を開口した状態の収容開口部を設けて前記内封用シート付容器を作製し、
前記内封用シートを前記連通部の対向する容器壁両外側から押圧して圧接し、
前記収容開口部を上側に配置するとともに前記内封用シートを下側に配置した状態で、前記収容開口部から前記収容部に前記収容物を収容し、
前記収容開口部を密封することを特徴とする内封用シート付容器の製造方法。
【請求項２６】
前記内封用シートを前記連通部及び／又は前記収容部の対向する容器壁を両外側からガイド部材で押圧して圧接することを特徴とする請求項２５に記載の内封用シート付容器の製造方法。
【請求項２７】
前記収容部に予め収容物が収容された請求項１乃至２４の何れか１つに記載の内封用シート付容器の製造方法であって、
前記収容部を形成する容器壁の一部にこの容器壁を開口した状態の収容開口部を設けて前記内封用シート付容器を作製し、
前記連通部の近傍で前記収容部を折り曲げた状態とし、
前記収容開口部を上側に配置するとともに前記内封用シートを下側に配置した状態で、前記収容開口部から前記収容部に前記収容物を収容し、
前記収容開口部を密封することを特徴とする内封用シート付容器の製造方法。
【請求項２８】
前記収容部と前記連通部とが略非連通状態となるように前記収容部を折り曲げた状態としたことを特徴とする請求項２７に記載の内封用シート付容器の製造方法。
【請求項２９】
前記収容開口部を密封した後、反転させて前記内封用シートを上側に配置するとともに、前記収容部を下側に配置し、前記内封用シートの圧接状態または折り曲げ状態を解放することを特徴とする請求項２５乃至２８の何れか１つに記載の内封用シート付容器の製造方法。
【請求項３０】
前記収容部に予め収容物が収容された請求項１乃至２４の何れか１つに記載の内封用シート付容器の製造方法であって、
前記収容部を形成する容器壁の一部にこの容器壁を開口した状態の収容開口部を設けて前記内封用シート付容器を作製し、
前記収容部を折り曲げて前記内封用シートの前記収容部側端部に収容時の収容物の衝撃が直接加わらない状態とし、
前記収容開口部から前記収容部に前記収容物を収容し、
前記収容開口部を密封することを特徴とする内封用シート付容器の製造方法。
【発明の詳細な説明】
【技術分野】
【０００１】  この発明は、使用時に上端側に開口部を形成して、その開口部から収容物を収容できるとともに、開封後に収容部の開口部側を閉じることが可能な内封用シート付容器に関する。
【背景技術】
【０００２】  従来、経腸栄養剤や濃厚流動食などの容器には、収容部と連通する開口形成部が上端側に設けられるとともに、下端側に排出部が設けられた樹脂製の容器が使用されている。
この容器は、予め収容部に経腸栄養剤や濃厚流動食が収容されて密封されていて、使用時に開口形成部の容器壁を破断することにより開口部を形成し、この開口部から希釈液を収容して混合することにより患者に応じた濃度に調製した後、排出部から患者に供給するようにして使用される。
また、このような容器は、経腸栄養剤や濃厚流動食を収容する容器以外にも、使用時に固体や液体等の収容物の一部或いは全てを収容し、その後排出させるための容器として、種々の用途に用いることができるものである。【０００３】  このような容器として、例えば、下記特許文献１には、上端側に再封可能な注入口及び吊り下げ手段とを有し、下端側に導出管に連結される導出口を設けた扁平形状を有する容器が記載されている。ここでは、注入口にプラスチックチャックシールやキャップを設けることにより、使用時に開口部を開口させて収容物を注入した後、注入口を再封できるようにしており、使用中にゴミ等の異物が収容部に侵入するのを防止したり、注入口から収容物がこぼれ出るのを防止している。【０００４】  また、下記特許文献２及び特許文献３には、特許文献１と類似の構造を有し、更に、チャックシールの収容室側に剥離可能な隔壁を設けた容器が記載されている。ここでは、チャックシールにより使用中に収容部にゴミ等の異物が侵入したり、収容物がこぼれ出るのを防止する上に、剥離可能な隔壁によりバージンプルーフ機能を付与している。なお、このように剥離可能な隔壁を設けると、保存時にチャックシールから収容物が開口形成部分側に漏れて使用時に開口部に収容物が付着し、作業者が収容物に触れることも防止できるため、より衛生的である。【０００５】
【特許文献１】        特開昭５７−８６２７５号公報
【特許文献２】        特開平１１−２８５５１８号公報
【特許文献３】        特開２００１−２９９８７５号公報
【発明の開示】
【発明が解決しようとする課題】
【０００６】  しかしながら、上記のような従来の容器では、使用時に収容する収容物を開口部からより収容し易くするには、開口部をできるだけ広く形成して、より大きく拡開できるようにする必要がある。ところが、開口部をより広く形成すると、再封作業時に、より長いチャックシールを嵌合させなければならず、再封作業に手間がかかる。特に、病院等において、多数の容器を準備する場合などには、この再封作業は著しく面倒なものとなる。【０００７】  また、在宅医療において、視力の低下した患者や身体の不自由な患者が再封作業を行う場合、チャックシール全体を完全に嵌合することは著しく困難な作業となる。そして、このチャックシールの一部に不完全な嵌合状態が残留すると、その部分から収容物の漏れを生じるというだけでなく、その不完全な嵌合部分を起点にして、チャックシール全体が開封され易く、収容物がこぼれる事故も発生し易い。【０００８】  更に、このような容器を製造する際、対向する容器壁のそれぞれに別部材のチャックシールを溶着等により接合するが、収容物の漏洩を防止するには、チャックシールが容器周囲の密封部分から確実に連続して形成される必要がある。
ところが、容器壁の周囲の密封部分は、連続した容器壁を折り曲げて形成されたり、対向する容器壁縁部同士を溶着して形成されるのに対し、チャックシールは、嵌合用の凸部と凹部とを有する立体的な形状を有し、互いに形状が大きく異なる。そのため、異なる形状の部材同士を押し潰して溶着等により確実に隙間無く連続させることが容易でなく、製造に手間を要するという問題点も有していた。【０００９】  そこで、この発明では、収容部の開口部側を大きく拡開して使用時に収容物を収容し易いとともに、開口部を容易に再封することができ、しかも、製造も容易な内封用シート付容器を提供することを目的とする。
【課題を解決するための手段】
【００１０】  上記課題を解決する請求項１に記載の発明は、容器壁の周囲が密封されて形成された内部に、収容部と、前記容器壁を破断することにより開口部が形成される開口形成部と、前記収容部と前記開口形成部とを連通する連通部とを備え、前記開口部の対向する容器壁と前記連通部の対向する容器壁とが近接可能であるとともに、前記開口部の対向する容器壁を離間させることにより前記連通部の対向する容器壁が離間可能な容器であって、
前記連通部の対向する容器壁のそれぞれに、互いに対向して前記収容部側に延びる内封用シートの上部が接合され、
前記対向する内封用シートは、前記接合位置より前記収容部側に少なくとも一部が前記連通部の略全幅において互いに離間可能な状態で密接する密接部を有し、
前記密接部は、前記開口部の対向する容器壁を離間させることにより離間可能であって、かつ、離間後は前記連通部の対向する容器壁を外側から厚さ方向に押圧することで再密接可能であることを特徴とする。
尚、前記密接部は、前記開口部の対向する容器壁を略全幅にわたって離間させることにより略全幅にわたって離間可能であることが好ましい。【００１１】  請求項２に記載の発明は、請求項１に記載の構成において、前記収容部の前記開口形成部とは反対位置に排出部を有することを特徴とする。【００１２】  請求項３に記載の発明は、請求項２に記載の構成において、前記収容部より上部の前記開口形成部より側縁側に懸垂部を有することを特徴とする。【００１３】  請求項４に記載の発明は、請求項３に記載の構成において、前記懸垂部と前記排出部とが対角位置に設けられ、懸垂された状態で前記排出部が前記収容部最下端に配置されることを特徴とする。【００１４】  請求項５に記載の発明は、請求項１乃至４の何れか１つに記載の構成において、前記開口部の幅が、前記連通部の少なくとも前記開口部側の端部と略同一幅を有することを特徴とする。【００１５】  請求項６に記載の発明は、請求項１乃至４の何れか１つに記載の構成において、前記開口部の幅が、前記連通部の少なくとも前記開口部側の端部の幅よりも広いことを特徴とする。【００１６】  請求項７に記載の発明は、請求項１乃至６の何れか１つに記載の構成において、前記対向する内封用シートの密接部が、粘着性を有することを特徴とする。【００１７】  請求項８に記載の発明は、請求項７に記載の構成において、前記対向する内封用シートが、熱可塑性樹脂と粘着性を付与する樹脂の混合物よりなることを特徴とする。【００１８】  請求項９に記載の発明は、請求項８に記載の構成において、前記熱可塑性樹脂及び前記粘着性を付与する樹脂の融点が、少なくとも１００℃以上であることを特徴とする。【００１９】  請求項１０に記載の発明は、請求項８に記載の構成において、前記熱可塑性樹脂がポリプロピレンであり、前記粘着性を付与する樹脂がポリプロピレンのステレオブロック共重合体を含むことを特徴とする。【００２０】  請求項１１に記載の発明は、請求項７乃至１０の何れか１つに記載の構成において、前記対向する内封用シートは、前記容器壁側に非粘着層を有することを特徴とする。【００２１】  請求項１２に記載の発明は、請求項１１に記載の構成において、前記非粘着層が熱可塑性樹脂からなり、その融点が少なくとも１００℃以上であることを特徴とする。【００２２】  請求項１３に記載の発明は、請求項１乃至１２の何れか１つに記載の構成において、前記対向する内封用シートの両側縁部が、それぞれ前記連通部の対向する容器壁の両側縁部に接合されていることを特徴とする。【００２３】  請求項１４に記載の発明は、請求項１乃至１３の何れか１つに記載の構成において、前記対向する内封用シートの前記収容部側の端部は、容易に離間可能に少なくとも一部が溶着されていることを特徴とする。【００２４】  請求項１５に記載の発明は、請求項１乃至１４の何れか１つに記載の構成において、前記連通部の容器壁に、前記内封用シートの位置を示す可視的な表示部が設けられていることを特徴とする。【００２５】  請求項１６に記載の発明は、請求項１乃至１４の何れか１つに記載の構成において、前記内封用シートに位置を示す可視的な表示部が設けられ、前記表示部が前記容器壁を透過して外部から視認可能に構成されていることを特徴とする。【００２６】  請求項１７に記載の発明は、請求項１乃至１６の何れか１つに記載の構成において、前記対向する内封用シートを前記連通部及び／または前記収容部の対向する容器壁両外側から挟んで圧接する挟圧部材を備えたことを特徴とする。【００２７】  請求項１８に記載の発明は、請求項１乃至１７の何れか１つに記載の構成において、前記連通部及び／または前記収容部の容器壁が折り曲げ可能に構成されていることを特徴とする。【００２８】  請求項１９に記載の発明は、請求項１８に記載の構成において、前記内封用シートより前記収容部側の対向する容器壁に容易に折り曲げ可能な部位を設けたことを特徴とする。【００２９】  請求項２０に記載の発明は、請求項１８または１９に記載の構成において、前記容器壁の一部に前記折り曲げ状態を維持する係止部を設けたことを特徴とする。【００３０】  請求項２１に記載の発明は、請求項１乃至２０の何れか１つに記載の構成において、前記収容部には予め第１の収容物が収容されており、使用時に前記開口形成部の容器壁を破断することにより前記開口部を形成し、この開口部から前記収容部に第２の収容物が収容されることを特徴とする。【００３１】  請求項２２に記載の発明は、請求項２１に記載の構成において、前記第１の収容物が濃縮物であって、前記第２の収容物が前記濃縮物を希釈する希釈液であることを特徴とする。【００３２】  請求項２３に記載の発明は、請求項２２に記載の構成において、前記濃縮物が、経腸栄養剤又は濃厚流動食であることを特徴とする。【００３３】  請求項２４に記載の発明は、請求項２１乃至２３の何れか１つに記載の構成において、前記懸垂部により懸垂された状態で、前記第１の収容物の頂面が前記内封用シートの前記収容部側端部より低い位置に配置されることを特徴とする。【００３４】  請求項２５に記載の発明は、前記収容部に予め収容物が収容された請求項１乃至２４の何れか１つに記載の内封用シート付容器の製造方法であって、
前記収容部を形成する容器壁の一部にこの容器壁を開口した状態の収容開口部を設けて前記内封用シート付容器を作製し、
前記内封用シートを前記連通部の対向する容器壁両外側から押圧して圧接し、
前記収容開口部を上側に配置するとともに前記内封用シートを下側に配置した状態で、前記収容開口部から前記収容部に前記収容物を収容し、
前記収容開口部を密封することを特徴とする。
尚、前記内封用シート付容器が前記排出部を有する場合には、前記排出部側端部の一部に前記収容開口部を設けることが好ましい。【００３５】  請求項２６に記載の発明は、請求項２５に記載の構成において、前記内封用シートを前記連通部及び／又は前記収容部の対向する容器壁を両外側からガイド部材で押圧して圧接することを特徴とする。【００３６】  請求項２７に記載の発明は、前記収容部に予め収容物が収容された請求項１乃至２４の何れか１つに記載の内封用シート付容器の製造方法であって、
前記収容部を形成する容器壁の一部にこの容器壁を開口した状態の収容開口部を設けて前記内封用シート付容器を作製し、
前記連通部の近傍で前記収容部を折り曲げた状態とし、
前記収容開口部を上側に配置するとともに前記内封用シートを下側に配置した状態で、前記収容開口部から前記収容部に前記収容物を収容し、
前記収容開口部を密封することを特徴とする。
尚、前記内封用シート付容器が前記排出部を有する場合には、前記排出部側端部の一部に前記収容開口部を設けることが好ましい。【００３７】  請求項２８に記載の発明は、請求項２７に記載の構成において、前記収容部と前記連通部とが略非連通状態となるように前記収容部を折り曲げた状態としたことを特徴とする。【００３８】  請求項２９に記載の発明は、請求項２５乃至２８の何れか１つに記載の構成において、前記収容開口部を密封した後、反転させて前記内封用シートを上側に配置するとともに、前記収容部を下側に配置し、前記内封用シートの圧接状態または折り曲げ状態を解放することを特徴とする。【００３９】  請求項３０に記載の発明は、前記収容部に予め収容物が収容された請求項１乃至２４の何れか１つに記載の内封用シート付容器の製造方法であって、
前記収容部を形成する容器壁の一部にこの容器壁を開口した状態の収容開口部を設けて前記内封用シート付容器を作製し、
前記収容部を折り曲げて前記内封用シートの前記収容部側端部に収容時の収容物の衝撃が直接加わらない状態とし、
前記収容開口部から前記収容部に前記収容物を収容し、
前記収容開口部を密封することを特徴とする。
尚、前記内封用シート付容器が前記排出部を有する場合には、前記排出部側端部の一部に前記収容開口部を設けることが好ましい。
【発明の効果】
【００４０】  本願発明によれば次の効果を達成することができる。
請求項１に記載の発明によれば、連通部の対向する容器壁のそれぞれに、互いに対向して収容部側に延びる内封用シートが接合されるとともに、この対向した内封用シートが接合位置より収容部側に、少なくとも一部が連通部の略全幅において互いに離間可能な状態で密接する密接部を有しているので、開口形成部の容器壁を破断することにより開口部を形成し、この開口部の対向する容器壁を離間させることにより連通部の対向する容器壁を拡開させれば、対向する内封用シートを互いに離間させて連通部とともに拡開させることができる。そのため、使用時に開口部を大きく拡開させるだけで、連通部及び内封用シートを大きく拡開させることができて、開口部から希釈液等を収容部に容易に収容することができる。【００４１】  また、収容後に連通部の対向する容器壁を近接させれば、少なくとも一部が連通部の略全幅において対向する内封用シートの密接部同士が密接するので、収容部の開口部側を閉じた状態に再封することができる。そのため、開口部から収容部にゴミ等の異物が侵入し難く、また、開口部を形成後に収容物の液面が変動しても、収容物が開口部から外部に飛散するのを防止することができる。【００４２】  しかも、内封用シートは平面状のシートであり、容器内部に配置して対向する容器壁のそれぞれに互いに対向するように接合するだけであるため、チャックシールのように接合後に立体的な形状を維持する必要がなく、容易に容器壁と接合することができ、製造も容易である。【００４３】  また、収容部に予め収容物が収容されている場合、チャックシール等の封鎖手段のような凹凸の嵌合部がなく、開口部を開口させる際にかかる嵌合部を外すための力が不要であるため、収容部内の収容物に衝撃等が加わることがなく、収容物の外部への飛散を防止することができる。また、内封用シートの密接部により、収容部内の収容物が開口形成部側へ流出することがないため、開口形成部の直下の容器壁の内面に収容物が付着することがなく、開口操作で収容物に作業者の指等が接触せずに、衛生的に開口させることができる。【００４４】  また、収容部の開口部側を閉じた状態に再封する際にも、チャックシール等の封鎖手段のような嵌合部（凹凸部）の位置合わせが不要であるため、開口部を容易に再封することができる。【００４５】  請求項２に記載の発明によれば、収容部の開口形成部とは反対位置に排出部を有しているため、収容部内の収容物を連通部を介さずに外部へ排出することができる。【００４６】  請求項３に記載の発明によれば、更に、収容部より上部の開口形成部より側縁側に懸垂部を有するので、開口部を形成後に懸垂部で懸垂させると、容器壁に自重が負荷されて連通部の対向する容器壁間が離間する方向に移動し難くなり、対向する内封用シートの密接部の密接状態を維持し易く、収容部の開口部側を閉じた状態で維持し易い。【００４７】  請求項４に記載の発明によれば、懸垂部と排出部とが対角位置に設けられ、懸垂された状態で排出部が収容部の最下端に配置されるので、収容部内の収容物を排出部から排出し易く、排出後に収容部内に残留する収容物の量を可及的に少なくすることができる。【００４８】  請求項５に記載の発明によれば、開口部の幅��、前記連通部の少なくとも前記開口部側の端部と略同一幅を有するので、両者を略同一の大きさで開口させることができ、開口部から収容部へ希釈液等の新たな収容物を収容し易い。【００４９】  請求項６に記載の発明によれば、開口部の幅が、前記連通部の少なくとも前記開口部側の端部の幅よりも広いため、開口部をさらに大きく開口させることができ、開口部から収容部へ希釈液等の新たな収容物をより収容し易い。【００５０】  請求項７及び請求項８に記載の発明によれば、対向する内封用シートの密接部が粘着性を有するので、開口部から収容部へ希釈液等の新たな収容物を収容した後に、内封用シートの密接部同士を接触させることにより密着させることができ、収容部の開口部側を密封することが可能であり、また、収容部内の収容物が開口部側へ移動することをより確実に防止し易い。【００５１】  請求項９に記載の発明によれば、熱可塑性樹脂及び粘着性を付与する樹脂の融点が、少なくとも１００℃以上であるため、高圧蒸気滅菌やレトルト滅菌を行っても、内封用シートが溶融することがない。【００５２】  請求項１０に記載の発明によれば、熱可塑性樹脂がポリプロピレンであり、粘着性を付与する樹脂がポリプロピレンのステレオブロック共重合体を含むため、これを用いて共重合させると、結晶化温度が低下し難いので、高圧蒸気滅菌やレトルト滅菌を行っても、対向する内封用シート同士がブロッキングし難く、かつ、粘着性も維持することができる。【００５３】  請求項１１に記載の発明によれば、内封用シートの容器壁側に非粘着層を有しているため、内封用シートが容器壁に貼り付くことがなく、対向する内封用シートの密接部同士の密接状態を維持し易くなる。【００５４】  請求項１２に記載の発明によれば、内封用シートの容器壁側に設けられた非粘着層の融点が、少なくとも１００℃以上であるため、高圧蒸気滅菌やレトルト滅菌を行っても、非粘着性層が溶融することがない。【００５５】  請求項１３に記載の発明によれば、対向する内封用シートの両側縁部が、それぞれ連通部の対向する容器壁の両側縁部に接合されているので、内封用シートの密接部の両側縁部と連通部の容器壁の両側縁部との間に隙間が生じることがないため、内封用シートにより、収容部の開口部側をより確実に閉じた状態にすることができ、また、製造が容易になり、製造コストを廉価にすることが可能となる。【００５６】  請求項１４に記載の発明によれば、対向する内封用シートの収容部側の端面が容易に離間可能に少なくとも一部が溶着されているため、密接部の密接状態をより確実に維持することができる。【００５７】  請求項１５及び請求項１６に記載の発明によれば、連通部の容器壁または内封用シートに、内封用シートの位置を示すための可視的な表示部が設けられているので、内封用シートの位置を容器外部から確認することができる。そのため、連通部の容器壁を外部から押圧することにより内封用シートの密接部をより確実に密接させて再封する場合、容器壁を押圧する部位を判別し易く、再封操作が容易である。【００５８】  請求項１７に記載の発明によれば、対向する内封用シートを連通部及び／または収容部の対向する容器壁両外側から挟んで圧接する挟圧部材を備えているので、挟圧部材を装着すれば、対向する内封用シートの密接部同士を確実に密着させることができ、収容室を確実に密封することが可能である。【００５９】  請求項１８及び請求項１９に記載の発明によれば、連通部及び／または収容部が折り曲げ可能であるので、容器壁を折り曲げれば、折り曲げ部分の対向する容器壁同士がより近接する方向に変形するため、この容器壁間に配置された対向する内封用シートの密接部同士を密着させたり、内封用シートの密接部に収容物が接触し難くすることができ、収容部を確実に密封することが可能である。【００６０】  請求項２０に記載の発明によれば、容器壁の一部に折り曲げ状態を維持する係止部を設けたため、容器壁の折り曲げ状態を確実に維持することができる。【００６１】  請求項２４に記載の発明によれば、内封用シート付容器を懸垂部により懸垂された状態で、収容物の頂面が内封用シートの収容部側端部より低い位置に配置されているため、内封用シート付容器を懸垂部により懸垂した状態で開口部を開口させても、内封用シートが収容部内の収容物に触れることがないので、収容物が飛散したり、あるいは作業者の指等に収容物が付着するのを防止し易い。【００６２】  請求項２５及び請求項２６に記載の発明によれば、内封用シートを連通部の対向する容器壁両外側から押圧して全面を圧接し、収容開口部を上側に配置するとともに内封用シートを下側に配置した状態で、収容開口部から収容部に収容物を収容するので、対向する内封用シートの密接部間を密着させた状態で収容物を収容することができる。そのため、収容時に内封用シートの密接部間や開口形成部側に収容物が流出し難く、内封用シートの内面や開口形成部の容器壁の内面に収容物が付着することが殆どなく、容器壁を破断して開口部を形成した後、開口部を開口する際に作業者の指等が収容物に直接触れることがなく、衛生的である。【００６３】  請求項２７及び請求項２８に記載の発明によれば、連通部の近傍の折り曲げ部位で収容部及び連通部を折り曲げて、収容部と連通部とを略非連通状態にするとともに、対向する内封用シートの密接部間を密着させた状態で収容作業を行うことができる。そのため、内封用シートの密着性が低下し難いとともに、収容時に内封用シートの密接部間や開口形成部側に収容物が流出し難く、内封用シートの内面や開口形成部の容器壁の内面に収容物が付着することが殆どなく、容器壁を破断して開口部を形成した後、開口部を開口する際に作業者の指等が収容物に直接触れることがなく、衛生的である。【００６４】  請求項２９に記載の発明によれば、収容開口部を密封した後、反転させて内封用シートを上側に配置するとともに、排出部を下側に配置し、内封用シートの圧接状態または折り曲げ状態を解放するので、収容物が内封用シートの密接部間や開口形成部側へ流出することをより確実に防止することができる。【００６５】  請求項３０に記載の発明によれば、充填装置のノズルから供給される収容物の落下時の衝撃で、対向する内封用シートの密接部が剥離して開口することなく収容物を収容することができるため、内封用シートの密着性が低下し難いとともに、収容時に内封用シートの密接部間や開口形成部側に収容物が���出し難く、開口形成部の容器壁の内面や内封用シートの内面に収容物が付着することが殆どなく、容器壁を破断して開口部を形成した後、開口部を開口する際に、作業者の指等が収容物に直接触れることがなく、衛生的である。
【発明を実施するための最良の形態】
【００６６】［第１の実施の形態］
以下、この発明の実施の形態について説明する。図１及び図２はこの実施の形態の内封用シート付容器を示す。
図において、１０は正面視が略四角形の扁平形状を有する内封用シート付容器であり、一対の対向する熱可塑性樹脂製の容器壁１２ａ、１２ｂが、全周囲において互いに液密に溶着されて溶着部１４が形成されることにより、内部空間１６が形成されている。【００６７】  内部空間１６には、収容物を収容するための収容部１８と、この収容部１８の上部側に配置されて容器壁１２ａ、１２ｂを仮想線Ｌに沿って破断することにより開口部２１を形成可能な開口形成部２０と、収容部１８と開口形成部２０との間を連通する連通部２２とが形成されている。【００６８】  ここでは、開口形成部２０と連通部２２の開口形成部２０側の端部とが略同一幅に形成され、また、収容部１８の幅が開口形成部２０の幅以上に形成されている。
収容部１８には、この実施の形態では、予め経腸栄養剤又は濃厚流動食からなる濃縮液３４が収容されており、収容状態で開口形成部２０が密封されている。
尚、濃縮液３４が収容された後は、内部空間１６内には、できる限り気体（空気）を残存させないことが好ましい。これは、高圧蒸気滅菌やレトルト滅菌の際に、残存する気体（空気）が膨張するのを防ぐためである。【００６９】  収容部１８より上部であって、開口形成部２０よりも内封用シート付容器１０の側縁側、ここでは、上部の角部分の溶着部１４には、貫通孔からなる懸垂部２４が設けられている。また、懸垂部２４とは反対側の開口形成部２０の側縁の溶着部１４には、開口形成部２０の容器壁１２ａ、１２ｂを破断して開口部２１を形成し易くするために、ノッチ２５が設けられている。【００７０】  一方、内封用シート付容器１０の下部の懸垂部２４と対角位置には、収容空間１６の開口形成部２０の反対位置と外部とを連通可能な排出部２６が設けられている。この排出部２６は、懸垂部２４により内封用シート付容器１０が懸垂された状態で、収容部１８の最下端に配置される。また、この排出部２６は詳細な図示は省略しているが、使用時に開口可能な閉塞キャップが装着されている。【００７１】  この内封用シート付容器１０の容器壁１２ａ、１２ｂは、収容部１８、開口形成部２０、及び連通部２２の対向する容器壁１２ａ、１２ｂ間が離間及び近接可能な程度の可撓性を有する熱可塑性樹脂から形成されている。具体的には、用途に応じて適宜選択可能であり、例えば、収容物が経腸栄養剤又は濃厚流動食等の食品である場合、レトルト滅菌可能なポリエチレン、ポリプロピレン、エチレン−酢酸ビニル共重合体、塩化ビニル、ポリエステル、ナイロン等、さらにこれらを組み合わせた積層シート又は、積層シートの表層若しくは中間層にシリカ蒸着フィルム、アルミナ蒸着フィルムやポリビニルアルコールフィルム等のバリアー製のフィルムを用いた積層シート等の透明又は半透明の樹脂を使用することができる。【００７２】  尚、この容器壁１２ａ、１２ｂは、互いに対向した状態で周囲が溶着部１４で溶着されているため、容器壁１２ａ、１２ｂを互いに離間させると、容器壁１２ａ、１２ｂの材料の物性や溶着部１４の形状等に基づく弱い復元力により近接可能である。【００７３】  内封用シート付容器１０の連通部２２の対向する容器壁１２ａ、１２ｂのそれぞれの内表面には、互いに対向する一対の内封用シート２８ａ、２８ｂが配置されている。この内封用シート２８ａ、２８ｂは、互いに密接した状態のときに収容部１８と開口形成部２０及び開口部２１とを区画する機能を有し、上端側の接合部３０において、それぞれ連通部２２の全幅が容器壁１２ａ、１２ｂに溶着されて接合されている。また、内封用シート２８ａ、２８ｂの両側縁部は、それぞれ連通部２２の容器壁１２ａ、１２ｂの両側縁部の溶着部１４に重ねた状態で溶着されて接合されている。【００７４】  内封用シート２８ａ、２８ｂの接合部３０より下側には、容器壁１２ａ、１２ｂと非接合状態で収容部１８側に延長して配置された密接部３２が設けられ、互いに離間可能な状態で密接して対向している。この密接部３２は、内封用シート２８ａ、２８ｂが接合部３０で容器壁１２ａ、１２ｂに接合されているため、連通部２２の容器壁１２ａ、１２ｂが互いに離間すると、内封用シート２８ａ、２８ｂは、従動して離間し、また、連通部２２の容器壁１２ａ、１２ｂが互いに近接すると、内封用シート２８ａ、２８ｂは、従動して密接部３２の表面同士が面接触するようになっている。【００７５】  また、この内封用シート２８ａ、２８ｂの大きさは適宜選択可能であるが、連通部２２の全幅に配置される場合、連通部の全幅と内封用シート２８ａ、２８ｂの上下方向の長さの比は、２：１〜５：１程度とするのが好ましい。【００７６】  この内封用シート２８ａ、２８ｂは、熱可塑性樹脂と粘着性を付与する樹脂の混合物よりなり、熱可塑性樹脂として、ポリエチレン、ポリプロピレン、エチレン−酢酸ビニル共重合体等を使用することができ、また、粘着性を付与する樹脂（粘着性を有する樹脂を含む）としては、水素添加ＳＢＲ、ＳＥＢＣ、ＣＥＢＣ、低分子量のポリプロピレン、１−ブテン、１−ペンテン、３メチル−１−ブテン、３メチル−１−ペンテン、１−ヘキセン等や粘着性付与材である脂肪族系環状炭化水素樹脂等を使用することができ、これらの混合物をシート状に成形することにより得られる。【００７７】  尚、内封用シート２８ａ、２８ｂを構成する熱可塑性樹脂及び粘着性を付与する樹脂としては、高圧蒸気滅菌やレトルト滅菌を行っても、内封用シート２８ａ、２８ｂが溶融しないように、その融点は、少なくとも１００℃以上であることが好ましい。
また、熱可塑性樹脂としてポリプロピレンを用い、粘着性を付与する樹脂としてポリプロピレンのステレオブロック共重合体を含む樹脂を用いることが好ましい。
すなわち、粘着性を有するポリプロピレンの製造方法として、ポリプロピレンにエチレンやブテン−１等のα−オレフィンを共重合させ、結晶化度を下げて樹脂表面を流動化させる方法がある。しかしながら、この方法では、結晶化温度が低下しやすいので、この方法で製造された内封用シートでは、高圧蒸気滅菌やレトルト滅菌を行った際に、対向する内封用シート同士がブロッキングして剥がれなくなると言った不具合が生じる。
これに対して、粘着性を付与する樹脂としてポリプロピレンのステレオブロック共重合体を含む樹脂を用いると、結晶化温度が低下し難いので、この共重合体を含む樹脂を混合して得られた内封用シートでは、高圧蒸気滅菌やレトルト滅菌を行っても、対向する内封用シート同士がブロッキングし難く、かつ、粘着性も維持することができる。
ここで、ポリプロピレンのステレオブロック共重合体として、アイソタクチックポリプロピレンとアタクチックポリプロピレンを含むものが例示でき、これらの他に第３成分を含んでいるものであってもよい。【００７８】  この粘着性は、内封用シート２８ａ、２８ｂを対向接触させた状態で、人手により０．１〜２Ｋｇ／ｃｍ２程度の押圧力で押付けると、内封用シート２８ａ、２８ｂ間が密着することができ、その押付力を解除した後にも密着状態を維持できる程度のものであればよい。【００７９】  粘着性により内封用シート２８ａ、２８ｂ間が密着されている場合、図３（ａ）に示すように、内封用シート２８ａ、２８ｂが完全に粘着した状態から容器壁１２ａ、１２ｂ間を離間させると、（ｂ）に示すように、内封用シート２８ａ、２８ｂの一端側が剥離して離間し、容器壁１２ａ、１２ｂ間の離間距離の増加に伴い、（ｃ）に示すように、密着部分と剥離部分との境界３３が接合部３０側から順に収容部１８側へ進行して内封用シート２８ａ、２８ｂが剥離される。【００８０】  更に、この実施の形態では、内封用シート２８ａ、２８ｂの一方又は双方の材料に顔料が混合されて着色されている。そのため、内封用シート２８ａ、２８ｂ自体が可視的な表示部として、内封用シート２８ａ、２８ｂの位置を容器壁１２ａ、１２ｂを透過して外部から視認できるようになっている。【００８１】  以上のような経腸栄養剤又は濃厚流動食等の濃縮液３４が予め収容されている内封用シート付容器１０を使用するには、まず、開口形成部２０の容器壁１２ａ、１２ｂをノッチ２５を起点にして破断する。開口形成部２０の容器壁１２ａ、１２ｂが非接合状態で対向しているため、破断することにより開口部２１が形成される。【００８２】  そして、開口部２１の容器壁１２ａ、１２ｂの間に作業者が指等を挿入して各容器壁１２ａ、１２ｂを離間させて、開口部２１の全幅を開口させる。これにより、開口部２１の容器壁１２ａ、１２ｂとともに連通部２２の容器壁１２ａ、１２ｂが互いに離間し、この容器壁１２ａ、１２ｂに接合された内封用シート２８ａ、２８ｂを従動させて互いに離間し、連通部２２も開口する。【００８３】  このとき、内封用シート付容器１０は、チャックシール等の封鎖手段のような凹凸の嵌合部がなく、開口部２１を開口させる際にかかる嵌合部を外すための力が不要であるため、収容部１８内の濃縮液３４に衝撃等が加わることがなく、濃縮液３４の外部への飛散を防止することができる。また、内封用シート２８ａ、２８ｂの密接部３２により、収容部１８内の濃縮液３４が開口形成部２０側へ流出することがないため、開口形成部２０の容器壁１２ａ、１２ｂの内面に濃縮液３４が付着することがなく、開口操作で濃縮液３４に作業者の指等が接触せずに、衛生的に開口させることができる。【００８４】  尚、内封用シート付容器１０を懸垂部２４により懸垂された状態で、濃縮液３４の頂面が内封用シート２８ａ、２８ｂの収容部１８側端部より低い位置に配置されるようにすれば、内封用シート付容器１０を懸垂部２４により懸垂した状態で開口部２１を開口させても、内封用シート２８ａ、２８ｂが収容部１８内の濃縮液３４に触れることがないので、濃縮液３４が飛散し���り、あるいは作業者の指等に濃縮液３４が付着するのを防止することができる。【００８５】  次に、開口部２１及び連通部２２を開口させた状態で、そこから水等の希釈液を収容物として収容し、収容部１８内の予め収容されていた濃縮液３４を希釈する。この濃度は患者等に応じて適宜調整することができる。【００８６】  そして、開口部２１の容器壁１２ａ、１２ｂの間に作業者が指等を挿入して各容器壁１２ａ、１２ｂを離間させて、開口部２１の全幅を開口させる。これにより、開口部２１の容器壁１２ａ、１２ｂとともに連通部２２の容器壁１２ａ、１２ｂが互いに離間し、この容器壁１２ａ、１２ｂに接合された内封用シート２８ａ、２８ｂを従動させて互いに離間し、連通部２２も開口する。【００８７】  そして、濃縮液３４と希釈液との全ての収容物を収容部１８に収容した後、開口部２１の開口状態を解除し、開口部２１及び連通部２２の容器壁１２ａ、１２ｂ間を近接させて、対向する内封用シート２８ａ、２８ｂの密接部３２同士を近接させて接触させれば、対向する内封用シート２８ａ、２８ｂの密接部３２同士が接触して再密接し、これにより、連通部２２が閉塞されて収容部１８の開口部２１側が閉じられて再封される。【００８８】  このとき、内封用シート２８ａ、２８ｂの着色による可視的な表示部に対応する容器壁１２ａ、１２ｂを、連通部２２の全幅において両外側から指等で押圧するか、又は、連通部２２の一端側を両外側から指等で挟んで押圧し、この押圧状態を維持しながら指等を連通部２２の他端側へスライドさせれば、内封用シート２８ａ、２８ｂの密接部３２間を密着することができ、収容室１８を再密封することができる。【００８９】  このようにして内封用シート付容器１０の準備を完了した後、懸垂部２４を用いて内封用シート付容器１０を懸垂させる。この懸垂部２４による懸垂状態では、収容部１８の収容物の頂面は内封用シート２８ａ、２８ｂの下端縁よりも低い位置に配置されている。そのため、内封用シート２８ａ、２８ｂに収容物が付着しない。
そして、排出部２６を開封し、この排出部２６から収容物を排出し、図示しないチューブ等を用いて患者に投与すれば、使用完了である。【００９０】  以上のような構成の内封用シート付容器１０によれば、連通部２２の対向する容器壁１２ａ、１２ｂのそれぞれに、互いに対向して収容部１８側に延びる内封用シート２８ａ、２８ｂが接合されるとともに、この対向した内封用シート２８ａ、２８ｂが接合部３０より収容部１８側に互いに離間可能な状態で密接する密接部３２を有しているので、開口形成部２０の容器壁１２ａ、１２ｂを破断することにより開口部２１を形成し、この開口部２１の対向する容器壁１２ａ、１２ｂ全幅を離間させることにより連通部２２の対向する容器壁１２ａ、１２ｂを拡開させれば、対向する内封用シート２８ａ、２８ｂを互いに離間させて連通部２２とともに拡開させることができる。【００９１】  そのため、使用時に開口部２１を大きく拡開させるだけで、連通部２２及び内封用シート２８ａ、２８ｂを大きく拡開させることができて、開口部２１から希釈液を収容部１８に容易に収容することができる。
また、収容後に開口部２１及び連通部２２の対向する容器壁１２ａ、１２ｂを近接させれば、連通部２２の全幅において対向する内封用シート２８ａ、２８ｂの密接部３２同士が密接するので、収容部１８の開口部２１側を閉じた状態に再封することができる。そのため、開口部２１から収容部１８にゴミ等の異物が侵入し難く、また、開口部２１を形成後に収容物の液面が変動しても、収容物が開口部２１から外部に飛散するのを防止することができる。【００９２】  更に、収容部１８より上部の開口形成部２２より側縁側に懸垂部２４を有するので、開口部２１を形成後に懸垂部２４で懸垂させると、容器壁１２ａ、１２ｂに自重が負荷されて連通部２２の対向する容器壁１２ａ、１２ｂ間が離間する方向に移動し難くなり、対向する内封用シート２８ａ、２８ｂの密接部３２の密接状態を維持し易く、収容部１８の開口部２１側を閉じた状態で維持し易い。【００９３】  また、懸垂部２４と排出部２６とが対角位置に設けられ、懸垂された状態で排出部２６が収容部１８の最下端に配置されるので、収容部１８内の液を排出部２６から排出し易く、排出後に収容部内に残留する収容物の量を可及的に少なくすることができる。【００９４】  更に、開口部２１と連通部２２の少なくとも開口部２１側の端部とが略同一幅を有するので、両者を略同一の大きさで開口させることができ、開口部２１から収容部１８へ希釈液等の新たな収容物を収容し易い。【００９５】  また、対向する内封用シート２８ａ、２８ｂの密接部３２が粘着性を有するので、開口部２１から収容部１８へ希釈液等の新たな収容物を収容した後に、内封用シート２８ａ、２８ｂの密接部３２同士を接触させることにより密着させることができ、収容部１８の開口部２１側を容易に密封することが可能である。そのため、収容部１８内の収容物が開口部２１側へ流出するのをより確実に防止することができる。例えば、内封用シート付容器１０を寝かせて開口部２１を横向きに配置しても、収容物が開口部２１から流出することを抑えることができるので、開口部２１の形成後の内封用シート付容器１０の取り扱いが著しく容易になる。【００９６】  また、収容部１８の開口部２１側を閉じた状態に再封する際にも、チャックシール等の封鎖手段のような嵌合部（凹凸部）の位置合わせが不要であるため、開口部２１を容易に再封することができる。【００９７】  更に、対向する内封用シート２８ａ、２８ｂの両側縁部が、それぞれ連通部２２の対向する容器壁１２ａ、１２ｂの両側縁部に接合されているので、内封用シート２８ａ、２８ｂの密接部３２の両側縁部と連通部２２の容器壁１２ａ、１２ｂの両側縁部との間に隙間が生じることがなく、内封用シート２８ａ、２８ｂにより収容部１８の開口部２１側をより確実に閉じた状態にすることができ、また、製造が容易になり、製造コストを廉価にすることが可能となる。
尚、対向する内封用シート２８ａ、２８ｂの両側縁部は、それぞれ連通部２２の対向する容器壁１２ａ、１２ｂの両側縁部に必ずしも接合されている必要はなく、対向する内封用シート２８ａ、２８ｂの両側縁部は、容器壁１２ａ、１２ｂの両側縁部から独立していてもよい。【００９８】  また、内封用シート２８ａ、２８ｂの一方又は双方の材料に顔料が混合されて着色されているため、内封用シート２８ａ、２８ｂ自体が可視的な表示部として、内封用シート２８ａ、２８ｂの位置を容器壁１２ａ、１２ｂを透過して外部から視認できるようになっている。このため、内封用シート２８ａ、２８ｂの位置を内封用シート付容器１０の外部から確認することができ、連通部２２の容器壁１２ａ、１２ｂを外部から押圧することにより内封用シート２８ａ、２８ｂの密接部３２をより確実に密接させて再封する場合、容器壁１２ａ、１２ｂの押圧する部位を判別し易く、再封操作が容易である。【００９９】  次に、上記のような構成の内封用シート付容器１０を製造するには、まず、排出部２６側の端部の一部に容器壁１２ａ、１２ｂを開口させた状態の空の内封用シート付容器１０ａを作製する。この内封用シート付容器１０の作製方法は適宜選択可能であるが、例えば、次のように行う。【０１００】  まず、内封用シート２８ａ、２８ｂに対応した形状の第１のシートを前記材料から形成するとともに、容器壁１２ａ、１２ｂの形状以上の大きさの第２のシートを前記材料から形成する。
このとき、第１及び第２のシートの形成方法は適宜選択可能であるが、内封用シート２８ａ、２８ｂは第１のシートを対向した状態で、接合部３０となる縁部以外を溶断するのが好ましい。このように形成すると接合部３０となる部分が非接合状態で他の縁部が切断部分で線状に溶着した状態で形成できる。【０１０１】  一方、第２のシートを容器壁１２ａ、１２ｂの形状にするとともに、内封用シート２８ａ、２８ｂの接合部３０となる部分の間に金属版等の溶着防止部材を介在させた状態で、各接合部３０となる部分と容器壁１２ａ、１２ｂの連通部となる部分とを溶着する。そして、対向する容器壁１２ａ、１２ｂ間に内封用シート２８ａ、２８ｂを配置した状態で、内封用シート付容器１０の周囲となる部分を溶着する。その際、下端部となる位置に排出部２６を配置するとともに、この排出部２６側の端部に容器壁１２ａ、１２ｂ間が非溶着状態で開口した収容開口部４０を設ける。なお、内封用シート付容器１０の上部となる位置には、開口形成部２０と、貫通孔からなる懸垂部２４と、ノッチ２５とを形成する。これにより空の内封用シート付容器１０ａを作製する。【０１０２】  次に、このようにして作製された空の内封用シート付容器１０ａに濃縮液３４を充填する。
図４に示すように、まず、空の内封用シート付容器１０ａの連通部２２及び収容部１８の連通部２２近傍の対向する容器壁１２ａ、１２ｂの全幅を両外側からガイド部材４２により押圧して、内封用シート２８ａ、２８ｂの全面を圧接して密着させる。【０１０３】  そして、収容開口部４０を上側に配置するとともに内封用シート２８ａ、２８ｂを下側に配置した状態で、収容開口部４０に充填装置４４のノズル４４ａを挿入し、収容部１８に濃縮液３４を収容する。【０１０４】  次に、収容開口部４０を溶着することにより収容部１８を密封して内封用シート付容器１０を製造し、その後、内封用シート付容器１０を反転させて内封用シート２８ａ、２８ｂを上側に配置するとともに、排出部２６を下側に配置して、ガイド部材４２による圧接状態を解放して完了する。【０１０５】  以上のようにして内封用シート付容器１０を製造すれば、まず、内封用シート２８ａ、２８ｂが薄肉のシートであり、内封用シート付容器１０内部に配置して対向する容器壁１２ａ、１２ｂのそれぞれに互いに対向するように接合するだけであるため、従来のチャックシールを用いた容器のように、接合後に立体的な形状を維持する必要がなく、容易に容器壁１２ａ、１２ｂと内封用シート２８ａ、２８ｂとを接合することができ、製造が容易である。【０１０６】  また、排出部２６側端部の一部に収容開口部４０を設けた内封用シート付容器１０ａを設け、内封用シート２８ａ、２８ｂを連通部２２の対向する容器壁１２ａ、１２ｂの両外側から押圧して全面を圧接し、反転させた状態で収容開口部４０から収容部１８に濃縮液３４を収容するので、対向する内封用シート２８ａ、２８ｂの密接部３２間を密着させた状態で収容作業を行うことができる。そのため、内封用シート２８ａ、２８ｂの密着性が低下し難いとともに、収容時に内封用シート２８ａ、２８ｂの密接部３２間や開口形成部２０側に濃縮液３４が流出し難く、開口形成部２０の容器壁１２ａ、１２ｂの内面に濃縮液３４が付着することが殆どなく、容器壁１２ａ、１２ｂを破断して開口部２１を形成した後、開口部２１を開口する際に、作業者の指等が濃縮液３４に直接触れることがなく、衛生的である。【０１０７】  更に、収容開口部４０を密封した後、反転させて内封用シート２８ａ、２８ｂを上側に配置するとともに、排出部２６を下側に配置し、内封用シート２８ａ、２８ｂの圧接状態を解放するので、濃縮液３４が対向する内封用シート２８ａ、２８ｂの密接部３２間や開口形成部２０に侵入することを防止することができる。【０１０８】  この場合、製造後の搬送及び保存期間にも、例えば、懸垂部２４により内封用シート付容器１０を吊り下げた状態とすることにより、内封用シート２８ａ、２８ｂを上側に配置するとともに排出部２６を下側に配置しておけば、内封用シート２８ａ、２８ｂに濃縮液３４が付着することがなくて特に好ましい。その場合、開口部２１を形成する際、開口形成部２２に濃縮液３４が全く存在しない状態となるため、開口部２１の形成時や希釈液の収容時に、作業者の指等が濃縮液３４に直接接触することを確実に防止でき、更に衛生的である。【０１０９】  また、内封用シート２８ａ、２８ｂを連通部２２の対向する���器壁１２ａ、１２ｂの両外側からガイド部材４２で押圧して圧接するので、内封用シート２８ａ、２８ｂを圧接させる操作が容易である。【０１１０】  尚、上記の実施の形態では、開口部２１の形成前の収容部１８に予め収容物が収容されている例について説明したが、何ら限定されるものではなく、開口部２１の形成前に収容部１８に収容物が収容されていない内封用シート付容器１０であってもよい。即ち、収容部１８が空の状態の内封用シート付容器１０ａを使用時に開口形成部２０の容器壁１２ａ、１２ｂを破断することにより開口部２１を形成し、その後、収容物を開口部２１から収容部１８に収容し、開口部２１及び連通部２２の容器壁１２ａ、１２ｂを復元力により近接させて内封用シート２８ａ、２８ｂを接触させて収容部１８の開口部２１側を閉じて排出部２６から収容物を排出させて使用することも可能である。【０１１１】  また、上記実施の形態では、２枚の樹脂シートの全周が溶着されて容器壁１２ａ、１２ｂを構成しているが、インフレーションシート等の筒状樹脂を用いるたりブロー成形品を用いるなどにより容器壁１２ａ、１２ｂの周囲の一部を溶着して密封するだけにすることも可能である。【０１１２】  更に、上記の実施の形態では、内封用シート２８ａ、２８ｂとして粘着性を有する材料からなるものについて説明したが、内封用シート２８ａ、２８ｂが粘着性を有しない材料からなるものであってもよく、そのような内封用シートであっても、収容部１８の開口部側を閉じて、ゴミ等の異物が収容部１８に侵入したり、収容室１８中の収容物が開口部２１から飛散するのを抑制することができる。【０１１３】  また、上記では、可視的な表示部として、内封用シート２８ａ、２８ｂ自体が着色された例について説明したが、表示部は、例えば文字、記号、線図、図形等であってもよく、容器壁１２ａ、１２ｂと内封用シート２８ａ、２８ｂとの透過率の差等を利用して内封用シート２８ａ、２８ｂを外部より視認可能にしてもよい。尚、内封用シート２８ａ、２８ｂは、顔料を含まない樹脂からなるものであってもよく、また、上述の表示部がないものであってもよい。【０１１４】  更に、上記では、収容物として、液状の経腸栄養剤又は濃厚流動食と希釈液とを収容したが、他の液状物を収容することも何ら問題なく可能であり、更に、固体や粉体を収容してもよい。【０１１５】［第２の実施の形態］
次に、第２の実施の形態について説明する。図５は、この実施の形態の内封用シート付容器１０の正面図である。
この実施の形態では、内封用シート２８ａ、２８ｂの下端側に、幅方向に例えば３箇所のスポット溶着部６０が設けられており、このスポット溶着部６０により、内封用シート２８ａ、２８ｂ同士が３箇所で溶着されているため、密接部３２の密接状態をより確実に維持することができる。【０１１６】  尚、このスポット溶着部６０は、開口部２１の容器壁１２ａ、１２ｂを離間させて、内封用シート２８ａ、２８ｂを相互に離間させる際に、内封用シート２８ａ、２８ｂが容易に分離可能となるように形成されており、スポット溶着部６０が設けられている他は、全て第１の実施の形態と同様の構成を有している。【０１１７】［第３の実施の形態］
次に、第３の実施の形態について説明する。図６は、この実施の形態の内封用シート付容器１０の断面模式図である。
この実施の形態では、内封用シート２８ａ、２８ｂとして、その下端部が相互に幅方向に連続した溶着部７０を有する溶断シールが用いられており、この溶着部７０により、内封用シート２８ａ、２８ｂの密接部３２の密接状態をより確実に維持することができる。【０１１８】  尚、この溶着部７０は、開口部２１の容器壁１２ａ、１２ｂを離間させて、内封用シート２８ａ、２８ｂを相互に離間させる際に、内封用シート２８ａ、２８ｂが容易に分離可能となるように形成されており、溶着部７０が設けられている他は、全て第１の実施の形態と同様の構成を有している。【０１１９】［第４の実施の形態］
次に、第４の実施の形態について説明する。図７は、この実施の形態の内封用シート付容器１０の正面図である。
この実施の形態では、内封用シート２８ａ、２８ｂが顔料を含まない透明樹脂からなり、また、連通部２２の容器壁１２ａ、１２ｂに内封用シート２８ａ、２８ｂの位置を示す可視的な表示部４８が設けられている他は、全て第１の実施の形態と同様の構成を有している。【０１２０】  このような内封用シート付容器１０であっても、前記と同様に、内封用シート付容器１０の外部から内封用シート２８ａ、２８ｂの位置が把握できるため、再封作業の際、内封用シート２８ａ、２８ｂの密接部３２を圧接して密着させることが容易である。【０１２１】［第５の実施の形態］
次に第５の実施の形態について説明する。図８は、この実施の形態の内封用シート付容器１０の断面模式図である。
この実施の形態では、平面視が略コ字状で、弾性を有し、その間が内封用シート２８ａ、２８ｂの厚さと容器壁１２ａ、１２ｂの厚さとの和と同程度の隙間を有する連通部２２の挟圧部材５０を備えており、対向する内封用シート２８ａ、２８ｂを連通部２２の対向する容器壁１２ａ、１２ｂを、両外側から挟圧部材５０で挟んで圧接する他は第１の実施の形態と同様の構成である。【０１２２】  このような内封用シート付容器１０であれば、内封用シート２８ａ、２８ｂの密接部３２間を常に圧接させておくことが可能であり、開口形成部２２や開口部２１に収容部１８内の収容物が流出するようなことを防止し易い。
なお、この挟圧部材５０の形状及び大きさは適宜選択可能であり、連通部２２及び収容部１８の容器壁１２ａ、１２ｂ全体若しくは一部を挟んで圧接させることも可能であり、更に、収容部１８の容器壁１２ａ、１２ｂだけを液密に圧接させて、収容部１８の収容物が内封用シート２８ａ、２８ｂに接触しないようにしてもよい。【０１２３】［第６の実施の形態］
次に、第６の実施の形態について説明する。図９はこの実施の形態の内封用シート付容器１０の連通部２２の拡大断面模式図である。
この実施の形態では、内封用シート２８ａ、２８ｂの肉厚が、実施の形態１より厚い他は、第１の実施の形態と同様の構成である。【０１２４】  このように、内封用シート２８ａ、２８ｂの肉厚が厚いと、開口部２１の対向する容器壁１２ａ、１２ｂ間の隙間５１が大きくなる。そのため、開口部２１を拡開させる際、作業者が指等をその隙間５１に挿入して一方の容器壁１２ａを把持することが容易であり、開口部２１の開口操作を容易にして操作性を向上することができる。【０１２５】［第７の実施の形態］
次に、第７の実施の形態について説明する。図１０はこの実施の形態の内封用シート付容器１０の正面図である。
この実施の形態では、連通部２２の幅が、開口部２１側から収容部１８までの間で徐々に減少している他は、第１の実施の形態と同様の構成である。【０１２６】  このように、連通部２２の収容部１８側の幅を狭くすることができるので、収容部１８から開口形成部２０或いは開口部２１側へ収容物が流出し難くすることができる。【０１２７】［第８の実施の形態］
次に、第８の実施の形態について説明する。図１１のこの実施の形態の内封用シート付容器１０の正面図、図１２は同内封用シート付容器１０の断面模式図である。
この内封用シート付容器１０では、収容部１８及び連通部２２の容器壁１２ａ、１２ｂが折り曲げ可能な可撓性を有しており、内封用シート２８ａ、２８ｂより収容部１８側の容器壁１２ａ、１２ｂの溶着部１４に、他の部分より幅が狭く形成された窪み状であって、折り曲げが極めて容易な折り曲げ部位５２が設けられている。
尚、折り曲げ部位５２は、内封用シート２８ａ、２８ｂが設けられた連通部２２の容器壁１２ａ、１２ｂの溶着部１４に設けてもよい。【０１２８】  更に、折り曲げ部位５２より排出部２６側の一方の容器壁１２ａの外表面に、両端が溶着部１４に溶着されて中間部分が容器壁１２ａの表面と非接合状態にされた帯状係止部５４が装着されている。一方、折り曲げ部位５２より開口部２１側の両側縁の溶着部１４には、それぞれ上方に傾斜して形成された切込み部５６が設けられている。その他は、第１の実施の形態と同様の構成を有している。【０１２９】  このような内封用シート付容器１０では、折り曲げ部位５２により容器壁１２ａ、１２ｂを帯状係止部５４側に折り曲げ、開口部２１又は開口形成部２２と連通部２２との容器壁１２ａ、１２ｂを帯状係止部５４と容器壁１２ａとの間に挿入し、両側縁の溶着部１４の切込み部５６を帯状係止部５４に係止することにより、内封用シート付容器１０を折り曲げ状態で維持できるようになっている。【０１３０】  このような内封用シート付容器１０によれば、連通部２２及び収容部１８が折り曲げ可能であるので、容器壁１２ａ、１２ｂを折り曲げれば、折り曲げ部位５２の対向する容器壁１２ａ、１２ｂ同士がより近接する方向に変形するため、この容器壁１２ａ、１２ｂ間に配置された内封用シート２８ａ、２８ｂの密接部３２同士を密着させたり、内封用シート２８ａ、２８ｂの密接部３２に収容物が接触し難くすることができ、収容部１８を確実に密封することが可能である。また、開口形成部２０或いは開口部２１への収容物の流出を防止することができる。【０１３１】  次に、収容部１８に濃縮液３４等の収容物が収容された内封用シート付容器１０の第２の製造方法について説明する。
このような内封用シート付容器１０を製造するには、図１３に示すように、第１の実施の形態と略同様に、空の内封用シート付容器１０ａを作製した後、連通部２２の近傍の折り曲げ部位５２で収容部１８及び連通部２２を略１８０度に折り曲げて、収容部１８と連通部２２とを略非連通状態とし、収容開口部４０を上側に配置した状態で収容開口部４０に充填装置４４のノズル４４ａを挿入し、収容部１８に濃縮液３４等の収容物を収容後、収容開口部４０を密封することにより製造することができる。尚、折り曲げ状態を維持するために、帯状係止部５４と切込み部５６とを係止してもよいが、折り曲げ状態を維持するための治具により支持するようにしてもよい。【０１３２】  このようにして製造すれば、連通部２２の近傍の折り曲げ部位５２で収容部１８及び連通部２２を略１８０度に折り曲げて、収容部１８と連通部２２とを略非連通状態にするとともに、対向する内封用シート２８ａ、２８ｂの密接部３２間を密着させた状態で収容作業を行うことができる。そのため、内封用シート２８ａ、２８ｂの密着性が低下し難いとともに、収容時に対向する内封用シート２８ａ、２８ｂの密接部３２間や開口形成部２０側に収容物が流出し難く、開口形成部２０の容器壁１２ａ、１２ｂの内面や内封用シート２８ａ、２８ｂの内面に収容物が付着することが殆どなく、容器壁１２ａ、１２ｂを破断して開口部２１を形成した後、開口部２１を開口する際に、作業者の指等が収容物に直接触れることがなく、衛生的である。【０１３３】  尚、上述の製造方法では、収容部１８及び連通部２２を略１８０度に折り曲げて、収容部１８と連通部２２とが略非連通状態となるものを例示したが、折り曲げ部位５２で収容部１８及び連通部２２を略１８０度に折り曲げる必要はない。【０１３４】  次に、収容部１８に濃縮液３４等の収容物が収容された内封用シート付容器１０の第３の製造方法について説明する。
このような内封用シート付容器１０を製造するには、図１４に示すように、第１の実施の形態と同様に、空の内封用シート付容器１０ａを作製した後、空の内封用シート付容器１０ａをガイド８０の斜面部８１上に載置し、収容部１８の中央部よりも若干下端側を折り曲げて、収容開口部４０を上側に配置するとともに、連通部２２を寝かせた状態とし、充填装置４４のノズル４４ａから落下する濃縮液３４等の収容物が対向する内封用シート２８ａ、２８ｂの収容部１８側の端部に直接当たらないようにする。
そして、収容開口部４０に充填装置４４のノズル４４ａを挿入し、収容部１８に濃縮液３４等の収容物を収容後、収容開口部４０を密封することにより製造することができる。【０１３５】  このようにして製造すれば、充填装置４４のノズル４４ａから供給される収容物の落下時の衝撃で、対向する内封用シート２８ａ、２８ｂの密接部３２が剥離して開口することなく収容物を収容することができる。そのため、内封用シート２８ａ、２８ｂの密着性が低下し難いとともに、収容時に内封用シート２８ａ、２８ｂの密接部３２間や開口形成部２０側に収容物が流出し難く、開口形成部２０の容器壁１２ａ、１２ｂの内面や内封用シート２８ａ、２８ｂの内面に収容物が付着することが殆どなく、容器壁１２ａ、１２ｂを破断して開口部２１を形成した後、開口部２１を開口する際に、作業者の指等が収容物に直接触れることがなく、衛生的である。【０１３６】［第９の実施の形態］
次に、第９の実施の形態について説明する。図１５はこの実施の形態の内封用シート付容器１０の正面図である。
この内封用シート付容器１０では、開口部２１を形成するための開口形成部２０の幅が、連通部２２の開口部２１側の幅より大きく構成されている。また、連通部２２の幅が、収容部１８側から徐々に減少している。
この内封用シート付容器１０によれば、開口形成部２０の幅が大きいため、開口部２１を形成し易く、また、開口部２１の周囲の容器壁１２ａ、１２ｂを把持して連通部２２を拡開させる際に、連通部２２を容易に拡開させることができる。
尚、この実施の形態の内封用シート付容器１０では、上述した懸垂部及び排出部は設けられていない。【０１３７】  次に、内封用シートの他の実施の形態について説明する。図１６は内封用シートの他の実施の形態を示す断面模式図である。
この実施の形態にあっては、対向する内封用シート２８０ａ、２８０ｂは、互いに対向する対向面を形成する粘着層２８１ａ、２８１ｂと、容器壁１２ａ、１２ｂ側に配置された非粘着層２８２ａ、２８２ｂとの積層構造となっている。粘着層２８１ａ、２８１ｂは、上述した内封用シート２８ａ、２８ｂと同様の材料からなり、また、非粘着層２８２ａ、２８２ｂは、粘着層２８１ａ、２８１ｂと同様の熱可塑性樹脂を、粘着性を付与する樹脂を混合することなく使用することができる。
また、この実施の形態においても、非粘着層２８２ａ、２８２ｂは、高圧蒸気滅菌やレトルト滅菌を行っても、非粘着層２８２ａ、２８２ｂが溶融しないように、融点が１００℃以上の熱可塑性樹脂を使用することが好ましい。【０１３８】  この実施の形態による内封用シート２８０ａ、２８０ｂを用いた内封用シート付容器１０によれば、内封用シート２８０ａ、２８０ｂの容器壁１２ａ、１２ｂ側に非粘着層２８２ａ、２８２ｂを有しているため、内封用シート２８０ａ、２８０ｂが容器壁１２ａ、１２ｂの内面に貼り付くことがなく、対向する内封用シート２８０ａ、２８０ｂ同士の密接状態を維持し易くなる。
【図面の簡単な説明】
【０１３９】
【図１】第１の実施の形態の内封用シート付容器の正面図である。
【図２】同実施の形態の断面模式図である。
【図３】（ａ）乃至（ｃ）は同実施の形態の内封用シートの動作を説明する図である。
【図４】同実施の形態の内封用シート付容器の製造方法を示す模式図である。
【図５】第２の実施の形態の内封用シート付容器の正面図である。
【図６】第３の実施の形態の内封用シート付容器の断面模式図である。
【図７】第４の実施の形態の内封用シート付容器の正面図である。
【図８】第５の実施の形態の内封用シート付容器の断面模式図である。
【図９】第６の実施の形態の内封用シート付容器の連通部の拡大断面模式図である。
【図１０】第７の実施の形態の内封用シート付容器の正面図である。
【図１１】第８の実施の形態の内封用シート付容器の正面図である。
【図１２】同実施の形態の内封用シート付容器の断面模式図である。
【図１３】内封用シート付容器の製造方法の第２の実施の形態を示す構成図である。
【図１４】内封用シート付容器の製造方法の第３の実施の形態を示す構成図である。
【図１５】第９の実施の形態の内封用シート付容器の正面図である。
【図１６】内封用シートの他の実施の形態を示す断面模式図である。
【符号の説明】
【０１４０】  １０  内封用シート付容器
１２ａ、１２ｂ  容器壁
１４  密封部
１６  内部空間
１８  収容部
２０  開口形成部
２１  開口部
２２  連通部
２４  懸垂部
２６  排出部
２８ａ、２８ｂ  内封用シート
３０  接合部
３２  密接部
３４  濃縮液
４０  収容開口部
４２  ガイド部材
４８  表示部
５０  挟圧部材
５２  折り曲げ部位
５４  帯状係止部
６０  スポット溶着部
７０  溶着部
【図１】
2005029270.tif 000003
【図２】
2005029270.tif 000004
【図３】
2005029270.tif 000005
【図４】
2005029270.tif 000006
【図５】
2005029270.tif 000007
【図６】
2005029270.tif 000008
【図７】
2005029270.tif 000009
【図８】
2005029270.tif 000010
【図９】
2005029270.tif 000011
【図１０】
2005029270.tif 000012
【図１１】
2005029270.tif 000013
【図１２】
2005029270.tif 000014
【図１３】
2005029270.tif 000015
【図１４】
2005029270.tif 000016
【図１５】
2005029270.tif 000017
【図１６】
2005029270.tif 000018